(57)【要約】  本発明は、自動車両のステアリングシャフトの回転状態を特徴付ける測定変数を検出するためのセンサー装置用の磁石組立体（１０）、センサー装置、および自動車両に関する。磁石組立体（１０）は、スリーブ（１１）と、スリーブ（１１）に対して形状結合式に連結された磁気要素（１２）とを有している。スリーブ（１１）は、磁石組立体（１０）をステアリングシャフトの第１部分へ連結するように設計されると共に、少なくとも１つの止めフランジ（１１Ｃ）を有している。止めフランジ（１１Ｃ）は、磁気要素（１２）を第１軸線方向（Ａ１）で軸線方向に固定するために、半径方向平面内で半径方向の外側へ広がっている。磁気要素（１２）は、スリーブ（１１）に対して同心状に配置されると共に、自らの第１端側（Ｓ１）にて止めフランジ（１１Ｃ）上で少なくとも部分的に軸線方向に支持され、それにより第１軸線方向（Ａ１）に固定されている。更に、磁気要素（１２）は、軸線方向（Ａ２）へ開いて複数の内面（Ｉ１，Ｉ２，Ｉ３）を有した凹部（１２Ｂ）内に係合する少なくとも１つの掛け留め手段（１１Ｄ）によって第２軸線方向（Ａ２）と第１円周方向（Ｕ１）と第２円周方向（Ｕ２）とに固定される。
2021522516.tif 000002
【特許請求の範囲】
【請求項１】
自動車両のステアリングシャフトの回転状態を特徴付ける測定変数を検出するためのセンサー装置用の磁石組立体（１０，１０’，１０”）であって、
−  当該磁石組立体（１０，１０’，１０”）は、スリーブ（１１）と、当該スリーブ（１１）に対して形状結合式に連結された磁気要素（１２，１２’，１２”）とを有し、
−  前記スリーブ（１１）は、当該磁石組立体（１０，１０’，１０”）を前記ステアリングシャフトの第１部分へ連結するように設計されると共に、少なくとも１つの止めフランジ（１１Ｃ）を有し、その止めフランジ（１１Ｃ）は、前記磁気要素（１２，１２’，１２”）を第１軸線方向（Ａ１）で軸線方向に固定するために、半径方向平面内で半径方向の外側へ広がっており、
−  前記磁気要素（１２，１２’，１２”）は、スリーブ形状もしくは環状設計のものであるか、または磁性リングもしくは磁性スリーブであって、第１端側（Ｓ１）と、第２端側（Ｓ２）と、それらの側同士の間の磁気的に有効な磁性部分（１２Ａ）とを有し、
−  前記磁気要素（１２，１２’，１２”）は、前記スリーブ（１１）に対して同心状に配置されると共に、自らの第１端側（Ｓ１）にて前記止めフランジ（１１Ｃ）上で少なくとも部分的に軸線方向に支持され、それにより前記第１軸線方向（Ａ１）に固定されている、磁石組立体（１０，１０’，１０”）において、
前記磁気要素（１２，１２’，１２”）が、前記軸線方向へ開いた凹部（１２Ｂ，１２Ｂ’，１２Ｂ”）内に係合する少なくとも１つの掛け留め手段（１１Ｄ）によって第２軸線方向（Ａ２）と第１円周方向（Ｕ１）と第２円周方向（Ｕ２）とに固定され、その凹部（１２Ｂ，１２Ｂ’，１２Ｂ”）は複数の内面（Ｉ１，Ｉ２，Ｉ３）を有し、前記凹部（１２Ｂ，１２Ｂ’，１２Ｂ”）の第１内面（Ｉ１）が、前記第２軸線方向（Ａ２）の止め面を形成して前記掛け留め手段（１１Ｄ）を前記第２軸線方向（Ａ２）に固定し、前記凹部（１２Ｂ，１２Ｂ’，１２Ｂ”）の第２内面（Ｉ２）が、前記第１円周方向（Ｕ１）の止め面を形成して前記掛け留め手段（１１Ｄ）を前記第１円周方向（Ｕ１）に固定し、前記凹部（１２Ｂ，１２Ｂ’，１２Ｂ”）の第３内面（Ｉ３）が、前記第２円周方向（Ｕ２）の止め面を形成して前記掛け留め手段（１１Ｄ）を前記第２円周方向（Ｕ２）に固定することを特徴とする磁石組立体（１０，１０’，１０”）。
【請求項２】
前記止めフランジ（１１Ｃ）は全周を取り囲むように形成されていることを特徴とする、請求項１記載の磁石組立体（１０，１０’，１０”）。
【請求項３】
少なくとも１つの前記凹部（１２Ｂ）は、前記磁気要素（１２）の前記第２端側（Ｓ２）に配置されて前記第２端側（Ｓ２）の端面から前記軸線方向（Ａ１）における前記第１端側（Ｓ１）の方向と前記円周方向（Ｕ１，Ｕ２）とに伸びて前記磁気要素（１２）内へと引き込まれた窪みまたは間隙であることを特徴とする、請求項１または２記載の磁石組立体（１０）。
【請求項４】
少なくとも１つの前記凹部（１２Ｂ’）は、前記磁気要素（１２’）の前記第２端側（Ｓ２）の端面部分（Ｉ２）と、前記磁気要素（１２’）の２つの突起（１６−１，１６−２）とによって形成されており、前記突起は、それぞれ円周方向（Ｕ１，Ｕ２）の外側で前記端面部分に隣接すると共に、それぞれ前記第２端側（Ｓ２）の前記端面から前記軸線方向（Ａ２）に遠ざかって伸びていることを特徴とする、請求項１または２記載の磁石組立体（１０’）。
【請求項５】
少なくとも１つの前記凹部（１２Ｂ”）は、前記磁気要素（１２”）の前記第２端側（Ｓ２）において、当該第２端側（Ｓ２）の端面から前記軸線方向（Ａ１）における前記第１端側（Ｓ１）の方向と前記円周方向（Ｕ１，Ｕ２）とに当該磁気要素内へと引き込まれた窪みまたは間隙と、前記磁気要素（１２”）の２つの突起（１６−１’，１６−２’）とによって形成されており、前記突起は、それぞれ円周方向（Ｕ１，Ｕ２）の外側で前記窪みまたは間隙に隣接すると共に、それぞれ前記第２端側（Ｓ２）から前記軸線方向（Ａ２）に遠ざかって伸びていることを特徴とする、請求項１から４のうちのいずれか一項に記載の磁石組立体（１０”）。
【請求項６】
前記掛け留め手段（１１Ｄ）は、少なくとも部分的に軸線方向（Ａ１，Ａ２）へ伸びて自由端部部を有した掛け留めアーム（１１Ｄ）を有しているか、または当該掛け留めアーム（１１Ｄ）によって形成されており、前記掛け留めアームは、関連した前記凹部（１２Ｂ，１２Ｂ’，１２Ｂ”）内に自らの自由端部で係合し、それにより前記磁気要素（１２，１２’，１２”）を、前記第２軸線方向（Ａ２）と、前記第１円周方向（Ｕ１）および前記第２円周方向（Ｕ２）とにそれぞれ固定し、特にそれぞれ形状結合式に固定することを特徴とする、請求項１から５のうちのいずれか一項に記載の磁石組立体（１０，１０’，１０”）。
【請求項７】
前記掛け留め手段（１１Ｄ）は前記スリーブ（１１）に連結されており、前記掛け留め手段（１１Ｄ）が、特に前記スリーブ（１１）と一体的に形成されているか、または前記スリーブ（１１）と共通の部品を形成していることを特徴とする、請求項６に記載の磁石組立体（１０，１０’，１０”）。
【請求項８】
前記掛け留め手段（１１Ｄ）は特に、前記スリーブ（１１）に留め付けられるか、または前記スリーブ（１１）と一体的に、もしくは前記スリーブ（１１）との一体品として形成された、自由端部を有する掛け留めアーム（１１Ｄ）であって、実質的に前記軸線方向（Ａ１，Ａ２）と、少なくとも部分的に半径方向と、自らの自由端部にて前記磁気要素（１２，１２’，１２”）の前記第２端側（Ｓ２）の方向とに外側へ伸びる掛け留めアーム（１１Ｄ）であることを特徴とする、請求項７記載の磁石組立体（１０，１０’，１０”）。
【請求項９】
前記スリーブ（１１）は金属を含むか、または金属で構成されており、前記掛け留めアーム（１１Ｄ）は、特に留め付け部分（１１Ａ）の部位での前記スリーブ（１１）からのタブの部分的な切り抜き、特に打ち抜きと、その後の、特に前記タブの曲げによる当該タブの形成とによって作り出されていることを特徴とする、請求項８記載の磁石組立体（１０，１０’，１０”）。
【請求項１０】
前記磁気要素（１２，１２’，１２”）は、その内周面上に複数のリブ（１７）を有し、それらのリブ（１７）は、円周方向に分散して互いに間隔を置いて配置されると共に、それぞれ軸線方向に通っており、前記リブ（１７）が前記軸線方向（A１，A２）へ特に前記磁気要素（１２，１２’，１２”）の全長に亘って伸びていることを特徴とする、請求項１から１０のうちのいずれか一項に記載の磁石組立体（１０，１０’，１０”）。
【請求項１１】
自動車両のステアリングシャフトの回転状態を特徴付ける測定変数を検出するためのセンサー装置において、請求項１から１０のうちのいずれか一項に記載の磁石組立体（１０，１０’，１０”）を有することを特徴とするセンサー装置。
【請求項１２】
センサー装置を有した自動車両において、前記センサー装置が請求項１１に従って設計されていることを特徴とする自動車両。
【発明の詳細な説明】
【技術分野】
【０００１】
本発明は、自動車両のステアリングシャフトの回転状態を特徴付ける測定変数を検出するためのセンサー装置用の磁石組立体であって、スリーブと、スリーブへ形状結合（原語ではformschlussig (uはウムラウト付き)）式に連結された磁気要素とを有した磁石組立体に関する。本発明はまた、自動車両のステアリングシャフトの回転状態を特徴付ける測定変数を検出するためのセンサー装置、および、そのようなセンサー装置を有した自動車両に関する。
【背景技術】
【０００２】
当該型式の磁石組立体は、例えば、自動車両のステアリングシャフトに加えられたトルクを検出するためのトルクセンサー装置で使用される。当該型式の磁石組立体を有した当該形式のトルクセンサー装置は、基本的に従来の技術、例えば特許文献１（WO2016/175140 A1）より知られている。そのような磁石組立体の基本的な動作は、例えば特許文献２（EP 01269133 B1）に記載されている。当該型式の磁石組立体の更にあり得る実施形態は、特許文献３（US 9,810,592 B2）に記載されている。
【０００３】
当該型式の磁石組立体はこの場合、慣例的には、軸線方向で互いに対向して置かれた２つのステアリングシャフト部品の一方に固定されるように設計される。その設計では、ステアリングシャフトの回転状態を検出するために、センサユニットを、磁石組立体の磁気要素と半径方向に向かい合って（間に小さな空隙を置いて）配置されるように設けられた磁性固定子と共に、他方のシャフト部分に固定することができる。固定子を採用することで、磁気要素で発生してシャフトの回転状態に依存する、センサー信号を生成することを企図された磁束を、磁気要素から磁束伝導体を介して磁気センサー（例えばホールセンサー）へ伝えることができる。
【０００４】
当該型式の磁石組立体は従来、永久磁石の、そして概して金属スリーブの形態の環状ないしスリーブ形状の磁気要素を有し、そのスリーブを介して磁石組立体をステアリングシャフトに連結することができる。その場合、共同した回転のために、ステアリングシャフトにスリーブを、例えば接着結合、溶接、かしめ、または圧入によって連結することが知られている。
【０００５】
ここでの課題は、第１に磁石組立体のステアリングシャフトへの恒久的な回転固定式の連結を確保すること、第２に磁気要素とスリーブとの間に可能な限り遊びのない回転固定式の連結をもたらすことにある。
【０００６】
当該型式の磁石組立体の磁気要素はこの場合、慣例的には磁性粒子を充填されたプラスチックで構成され、一般的にはプラスチック射出成型プロセスで、あるいは圧縮成型によっても製造される。まず、磁気要素をスリーブ上へと直接的に射出成型すること、または磁性材料の周囲にスリーブを射出成型することが知られている。次に、最初にスリーブと磁気要素とを別々に製造してから、それらを互いに連結することが知られている。これは、とりわけ接着結合によって、一体的に接合する方式で特に頻繁に行われる。
【０００７】
磁性粒子の充填度が概して高いため、磁気要素の基本材料として機能するプラスチックは、特に低温では、概して比較的脆いか、あまり柔軟ではない。従って、スリーブと磁気要素との熱膨張係数が異なるため、動作中に温度の変動が生じた場合には（特に、磁気要素がスリーブに接着結合されているとすれば）磁石組立体内に熱により引き起こされる応力の生じる可能性があり、それゆえ接着層への損傷が（最悪の場合を考慮した筋書きでは、接着層の破壊さえも）発生し得る。その結果、磁気要素がスリーブに対して捩れるか、あるいは完全に分離してしまう可能性さえある。最初の場合は、誤ってはいるが、それにもかかわらず妥当そうな信号につながってしまうかもしれない。次の場合では、不利な状況において磁性リングがステアリング・システム内へ押し込まれて、ステアリング・システムの動きを妨害してしまうかもしれない。どちらの場合も安全上のリスクがあり、回避されねばならない。
【０００８】
スリーブと磁気要素との間の連結を固定するため、即ちバックアップとして、特許文献１は、この連結において、接着式の連結に加えて、スリーブと磁気要素とを形状結合式に連結することを提案している。
【先行技術文献】
【特許文献】
【０００９】
【特許文献１】国際公開第２００６／１７５１４０号パンフレット
【特許文献２】欧州特許第０１２６９１３３号明細書
【特許文献３】米国特許第９８１０５９２号明細書
【発明の概要】
【発明が解決しようとする課題】
【００１０】
本発明の目的は、代替的な磁石組立体、特にスリーブと磁気要素との間に代替的な形状結合式の連結（できれば製造や作成がとりわけ簡単な形状結合式の連結）を伴った磁石組立体を提供することである。
【課題を解決するための手段】
【００１１】
この目的は、本発明によれば、それぞれの独立請求項に記載の特徴を有した磁石組立体、センサー装置、および自動車両によって達成される。本発明の有利な諸実施形態は、各従属請求項、明細書、および図面の対象であって、以下でより詳細に説明されることとなる。
【００１２】
本発明による、自動車両のステアリングシャフトの回転状態を特徴付ける測定変数を検出するためのセンサー装置用の磁石組立体は、スリーブと、スリーブに対して形状結合式に連結された磁気要素とを有している。
【００１３】
スリーブはこの場合、当該磁石組立体をステアリングシャフトの第１部分へ（特に、ステアリングシャフトへの回転固定式の連結のために）連結するように設計されると共に、少なくとも１つの止めフランジを有し、その止めフランジは、磁気要素を第１軸線方向で軸線方向に固定するために、半径方向平面内で半径方向の外側へ広がっており、磁気要素は、スリーブ形状もしくは環状設計のものであるか、または磁性リングもしくは磁性スリーブであって、第１端側と、第２端側と、それらの側同士の間の磁気的に有効な磁性部分とを有している。
【００１４】
磁気要素は、スリーブに対して同心状に配置されると共に、自らの第１端側にて止めフランジ上で少なくとも部分的に（好適には、全体的に）軸線方向に支持され、それにより第１軸線方向に固定されている。
【００１５】
本発明によれば、磁気要素はこの場合、軸線方向へ開いた凹部内に係合する少なくとも１つの掛け留め（ラッチ留め）手段によって第２軸線方向と第１円周方向と第２円周方向とに固定され、その凹部は複数の内面を有し、凹部の第１内面が、第２軸線方向の止め面を形成して掛け留め手段を第２軸線方向に、凹部の第２内面が、第１円周方向の止め面を形成して掛け留め手段を第１円周方向に、凹部の第３内面が、第２円周方向の止め面を形成して掛け留め手段を第２円周方向に（特に、それぞれ形状結合式に）固定する。
【００１６】
本発明による磁石組立体の特に有利な改良においては、磁石組立体がステアリングシャフトへ機能的に連結されている状態に関して、第１内面がステアリングシャフトの回転軸線に垂直に広がっているのが好ましい。これに対して、特に第２内面および第３内面はそれぞれ第１内面に垂直な向きにされるのが好ましい。その場合、第２内面と第３内面とが互いに向かい合って、特に互いに平行に対向配置されているのが特に好ましい。
【００１７】
それにより、複数方向での特に簡単な形状結合式の固定を実現することができる。特に、それにより回転に抗して固定をする手段を実現することができるが、当該手段は、磁性リングやスリーブの長さ公差とは無関係に構成することができるので、特に確実なものとなっている。更に、本発明による固定は、如何なる追加の構成要素をも必要としないのである。
【００１８】
本発明の文脈の範囲内における「形状結合式」とは、「互いに作用し合うように連結される（特に、互いに噛み合った状態にある）連結部品同士の幾何学的形状によって」もたらされることを意味する。
【００１９】
方向を示す語である「軸線方向」は、ここでは（それぞれの場合に当該技術での標準的なやり方で）磁石組立体のスリーブが（用途どおりに）ステアリングシャフトの第１部分に対して回転固定式に連結された状態に関して、ステアリングシャフトの回転軸線、即ち回転の軸線に対して平行な方向を示している。同様に、方向明細事項「円周方向」は当該回転軸線周りの回転方向を示し、方向明細事項「半径方向」は軸線方向と円周方向とに垂直な方向を表している。同様に、方向明細事項「接線方向」は、軸線方向と半径方向とに垂直な方向を表している。
【００２０】
本発明の文脈において、用語「固定」は、それぞれの場合に関連した関係で示される方向への各々の構成要素の留め付け、特に構成要素の固着を意味するものと理解されたい。それは、磁石組立体によって発生するセンサー信号の必要な信号品質が保証されて、当該センサー信号を用いる諸機能の機能的信頼性が損なわれないよう、各々の構成要素がそれぞれの方向に移動／変位することが防止されるようなやり方でのことである。
【００２１】
シャフトへの連結のために、スリーブはブッシュ形状の留め付け部分を有しているのが好ましい。留め付け部分は、ブッシュ形状の連結部分に隣接しているのが好ましい。連結部分は、その部位に特に磁気要素が配置され、その部位において特に磁気要素がスリーブへ少なくとも部分的に連結されるところのものである。
【００２２】
本発明による磁石組立体の有利な改良において、留め付け部分はこの場合、連結部分よりも小さい直径を有しており、即ち好適にはスリーブが「段付き形状」になっている。但し、スリーブは単に円筒状であってもよい。
【００２３】
本発明による磁石組立体の特に有利な改良において、磁石組立体は、特に複数（好適には、それぞれ３つ、４つ、５つ、ないしは６つ）の円周方向に分散配置された掛け留め手段、特に円周方向に均等に分散配置された掛け留め手段を有している。それらの掛け留め手段は特に、同様に円周方向に分散配置（特に、同様に均等に分散配置）された、対応する関連した凹部内に係合するものである。これにより、発生する力やモーメントの特に均等な分散を、それゆえ磁石組立体内での応力の特に均等な分散を達成することが可能となる。その結果、個々の部品、特に接着層および／または磁気要素それ自体に過度な応力を掛ける危険性を減少させることができる。
【００２４】
場合によっては、本発明による１つだけの掛け留め手段と、当該１つの掛け留め手段の係合する関連した凹部とが設けられたり、更に付け加えられた（但し、掛け留め手段の係合しない）凹部が設けられたりすれば有利である。当該凹部は、例えば取付け補助手段として、特にスリーブに対する磁気要素の角度を調整するために用いることができる。特に、それにより更に別の取付け位置が生じ、その結果、取付けが簡素化される。
【００２５】
本発明による磁石組立体のスリーブは、金属を含み、および／または金属から製造されているのが好ましい。その場合、スリーブは少なくとも部分的に深絞りによって製造されるのが好ましい。スリーブは、圧入によってステアリングシャフトの一部に留め付けることができるよう、或いはステアリングシャフトの一部にかしめるか、圧着するか、または接着結合することができるように設計されるのが好ましい。それに代えて、スリーブは、ステアリングシャフトの指定部分に溶接したり、圧入によって連結したりすることもできる。
【００２６】
かしめ、特に熱かしめや超音波かしめによるプラスチック連結要素の形成は、先行技術から一般的に知られているので、この点に関するそれ以上の説明はこの際、省かれる。
【００２７】
磁気要素の磁性部分は、同様にスリーブ形状ないしは環状設計（特に、円周方向に閉じたもの）であることが好ましい。或いは磁性部分は、スリーブ形状ないしは環状設計の磁性部分と同様に作用するか、または先行技術から知られる従来のリング磁石と類似して作用するように設計される。その場合、磁性部分は、スリーブに対して同心状に配置されるのが好ましい。また、磁気要素の内径は、特にスリーブの外径よりも大きくなっている。そして、磁気要素は、特にスリーブの周囲の半径方向外側に配置される。
【００２８】
即ち、磁気要素は、円周方向でスリーブの周囲の外側を、軸線方向でスリーブの長さの一部に亘って伸びているのが好ましい。磁気要素は、特にブッシュ形状の連結部分の部位においてスリーブ周囲に広がっている。
【００２９】
本発明による磁石組立体の磁気要素は、射出成型または圧縮成型プロセスによって好適に製造することができる。その他の通例による製造方法も同様に考えられる。
【００３０】
本発明による磁石組立体の磁気要素は、磁性粒子の充填されたプラスチックを含んでいる、および／または、磁性粒子の充填されたプラスチックで構成されるのが好ましい。その場合、磁気要素はプラスチック射出成型プロセスで製造されるのが好ましい。磁気要素は、スリーブに接着結合されるか、または接着結合によってスリーブに一体的に結合されるやり方で連結することができるのが特に好ましい。
【００３１】
本発明による磁石組立体の有利な改良において、止めフランジは特に全周を取り囲むように形成されており、即ち、有利な改良において止めフランジは円周方向に凹部を有していない。
【００３２】
円周方向に凹部のない止めフランジは基本的に、凹部、間隙、スロットなどを有した同種の設計の止めフランジよりも剛性が高い。向上した剛性によって、製造に追加経費をかけることなく、直径や真円度のより小さな公差を達成することが可能となる。更に、全周を取り囲むように形成されたフランジで、より安定した止めを実現することができる。その結果、第１軸線方向における磁気要素の位置の、特に良好で均一な、とりわけ精確な位置決めおよび固定を達成することができる。
【００３３】
磁気要素は、止めフランジ上に直接または間接的に（即ち、軸線方向で間に１つないし複数の更なる構成要素を伴うか、または伴わずに）載ることができ、および／または支持されることができる。その場合、磁気要素は、その第１端側の全体で（即ち、広範囲で）、或いは当該端側の一部だけで、止め要素上に載ることができる。後者は例えば、磁気要素および／または止めフランジ上の対応する突起によって達成することができる。
【００３４】
本発明による磁石組立体の更に有利な改良において、止めフランジは、好適にはスリーブの第１端部の所に配置されるか、または特にスリーブの第１端部を形成している。
【００３５】
本発明による磁石組立体の更に有利な改良において、少なくとも１つの凹部は、磁気要素の第２端側に配置されて第２端側の端面から軸線方向における第１端側の方向と円周方向とに伸びて磁気要素内へと引き込まれた窪みまたは間隙、特に磁気要素の厚さ全体に亘って半径方向に磁気要素内へと伸びる間隙である
【００３６】
そのような凹部で、スリーブに対する磁気要素の第２軸線方向と第１および第２円周方向との両方の固定を、特に簡単なやり方で同時に達成することができる。これは、それぞれが一方向にのみ作用する別々の固定用凹部および関連した別々の固定用掛け留め手段に優る、製造にかかる費用が少ないという利点を有している。更に、作り出さねばならぬ固定用の連結がより少なくなるため、取付けが簡素化される。かくしてコスト削減の可能性が生じるのである。
【００３７】
この場合、少なくとも１つの凹部は、特に第２軸線方向に開いた（即ち、第２端側に向かって開いた）間隙であり、Ｕ字形ないしＵ字状の設計のものであって、特にこの部位の磁気要素の厚さ全体に亘って半径方向へ伸びており、特に円周方向および軸線方向へ伸びるスロットと同様に設計されている。
【００３８】
とりわけ、少なくとも部分的に軸線方向へ（できれば円周方向に対して垂直に）伸びる凹部の内側面、特にＵ字形ないしＵ字状の凹部における「Ｕ」の対応する内面が、円周方向に作用する止め面を形成する。凹部の底部は、掛け留め手段（特に、掛け留め手段の自由端部）が少なくとも部分的に（できれば遊びのないやり方で）当たる軸線方向の止め面を形成しているのが好ましい。
【００３９】
特に対応する材料の除去によって磁気要素に内へと引き込むことのできる、そのような凹部は、製造が簡単であると共に、次のような形状結合式連結の形成を可能とする。即ち、製造が特に簡単で、十分に確実であるが、それでもなお十分に容易に解除することのできる形状結合式連結である。更に、関連した掛け留め手段は、凹部にしっかりと係合するために複雑な幾何学的形状を有せねばならぬことはない。タブの単純な自由端部（例えば、矩形の形状のもの）で十分なのである。但しそれに代えて、特に（例えば、磁気要素を製造するのに用いられる射出成型用ダイの）対応した金型形状を採用することで、磁気要素が（できればダイから直接的に）製造されるときに、凹部が引き込まれてもよい。
【００４０】
本発明による磁石組立体の代替となる、しかし同様に有利な改良において、少なくとも１つの凹部は特に、磁気要素の第２端側の端面部分と、磁気要素の２つの突起とによって形成されており、当該突起は、それぞれ円周方向の外側で当該端面部分に隣接すると共に、それぞれ第２端側の端面から軸線方向に遠ざかって伸びている。磁気要素の２つの突起の側面（当該側面同士が円周方向で互いに向かい合っている）は、円周方向に作用する止め面を好適に形成する。円周方向で２つの突起同士の間に配置される磁気要素の端面部分は、特に軸線方向に作用する止め面を形成する。
【００４１】
この型式の改良は、磁気要素が（例えば突起の射出成型によって、特にダイから直接的に）製造されるときに凹部を形成できるという利点を有している。
【００４２】
本発明による磁石組立体の更に有利な改良において、少なくとも１つの凹部は特に、磁気要素の第２端側において、当該第２端側の端面から軸線方向における第１端側の方向と円周方向とに当該磁気要素内へと引き込まれた窪みまたは間隙と、磁気要素の２つの突起とによって形成されており、当該突起は、それぞれ円周方向の外側で窪みまたは間隙に隣接すると共に、それぞれ第２端側から軸線方向に遠ざかって伸びている。
【００４３】
特に、磁気要素の２つの突起の側面（当該側面同士が窪みないし間隙の各内面と共に円周方向で互いに向かい合っており、当該内面が少なくとも部分的に軸線方向へ（できれば円周方向に対して垂直に）伸びている）が、円周方向に作用する止め面を形成することが好ましい。窪みないし間隙の底部は、特に軸線方向の止め面を形成することが好ましい。
【００４４】
この手段により、軸線方向の十分な深さと半径方向の十分な突出とを簡単なやり方で達成することができ、かくして良好で確実な形状結合式連結を実現することができる。
【００４５】
本発明による磁石組立体の更に有利な改良において、掛け留め手段は特に、少なくとも部分的に（とりわけ実質的に）軸線方向へ伸びて自由端部部を有した掛け留めアームを有しているか、または当該掛け留めアームによって形成されており、掛け留めアームは、関連した凹部内に自らの自由端部で係合し、それにより磁気要素を、第２軸線方向と、第１円周方向および第２円周方向とにそれぞれ固定する。
【００４６】
そのような掛け留め手段で、少なくとも、２つの円周方向および軸線方向における、スリーブに対しての磁気要素の形状結合式の固定を、特に簡単なやり方で達成することができる。
【００４７】
掛け留めアームの自由端部はこの場合、凹部における少なくとも１つの止め面、特に少なくとも軸線方向に作用する止め面上に置かれることが好ましい。その場合、掛け留めアームの自由端部は、軸線方向に作用する止め面上と、円周方向に作用する止め面の一方ないし両方の面上とに置かれることが特に好ましい。
【００４８】
掛け留め手段と凹部とはこの場合、特に互いに対する関係での扱い方で寸法が決められ、関連した各公差が次のようなやり方で選択されることが特に好ましい。即ち、少なくとも１つの定められた動作部位において、スリーブに対する両軸線方向および両円周方向での磁気要素の形状結合式の固着（当該形状結合式の固着は、磁石組立体の誤りなき機能性のため、即ち定められた信号品質を有するセンサー信号を発生させるために必要とされるものである）が保証されるようなやり方である。特に、掛け留め手段と凹部とは、軸線方向および／または円周方向の最大限許容される遊びを超過しないよう、また磁気要素とスリーブとの間における形状結合式連結の十分なねじり強度が達成されるよう、互いに対して寸法を決められる。掛け留め手段と凹部とは、少なくとも１つの中間ばめ（特に、締まりばめ）が軸線方向に生じるよう、従って少なくとも軸線方向で遊びのない連結が常に達成されるよう、互いに対して寸法が決められていることが特に好ましい。
【００４９】
本発明による磁石組立体の更に有利な改良において、掛け留め手段はスリーブに連結されており、掛け留め手段が、特にスリーブと一体的に形成されているか、またはスリーブと共通の部品を形成している。
【００５０】
そのような改良により、付加的な構成要素は必要とされず、従って重量も追加されない。更に、この手法で掛け留め手段を簡単に製造することができる。
【００５１】
本発明による磁石組立体の更に有利な改良において、掛け留め手段は特に、スリーブに留め付けられるか、またはスリーブと一体的に、もしくはスリーブとの一体品として形成された、自由端部を有する掛け留めアームであって、実質的に軸線方向と、少なくとも部分的に半径方向と、自らの自由端部にて磁気要素の第２端側の方向とに外側へ伸びる掛け留めアームである。
【００５２】
本発明による磁石組立体の更に有利な改良において、スリーブは金属を含むか、または金属で構成されており、掛け留めアームは、特に留め付け部分の部位でのスリーブからのタブの部分的な切り抜き、特に打ち抜きと、その後の、特にタブの曲げによる当該タブの形成とによって作り出されている。その場合、掛け留めアームは、タブを少なくとも２回曲げることによって、できれば少なくともタブを交互に２回曲げることによって、特にタブを交互に少なくとも２回約９０°だけ折り曲げることによって作り出され、形成される。
【００５３】
磁気要素がスリーブへ形状結合式に連結された状態において、タブの自由端部の端面が、軸線方向に作用する凹部の止め面上へ軸線方向に載っていることが特に好ましい。それは、磁気要素をスリーブ上へ第２軸線方向に（特に、第２軸線方向の変位に抗して）固定するためである。そして特に、止めフランジと共に磁気要素をスリーブ上へ軸線方向に固着させるためである。
【００５４】
タブの曲げによって、特に二重曲げによって公差を補うことができ、特に対応する改良において、凹部における（特に、軸線方向に）遊びのない接触を作り出すことができる。
【００５５】
本発明による磁石組立体の更に有利な改良において、磁気要素はまた、その内周面上に好適には複数のリブを有し、それらのリブは、特に円周方向に分散して互いに間隔を置いて配置されると共に、それぞれ軸線方向に通っており、好適にはリブが軸線方向へ磁気要素の全長に亘って伸びている。
【００５６】
この手段により、スリーブに対する良好な中心合わせ、および／または同軸配置を、特に簡単なやり方で達成することができ、かくしてセンサー信号品質にとって実質的に重要なことである磁気要素の精確な位置決めおよび方向合わせを簡単なやり方で達成することができる。
【００５７】
自動車両のステアリングシャフトの回転状態を特徴付ける測定変数を検出するための本発明によるセンサー装置は、本発明による磁石組立体を有している。
【００５８】
センサー装置を伴った本発明による自動車両は、本発明による磁石組立体を伴った本発明によるセンサー装置を有している。
【００５９】
磁石組立体に関して提示された有利な諸改良およびその利点は、本発明によるセンサー装置および本発明による自動車両にも相応に当てはまる。
【００６０】
本発明のさらなる諸特徴は、特許請求の範囲、図面、および図面の説明から明らかとなる。上記の説明で挙げられている全ての特徴および特徴同士の組合わせ、そしてまた下記図面の説明に挙げられ、および／または図面のみに示されている特徴および特徴同士の組合わせは、それぞれ示された組合わせのみならず、その他の組合わせや、それら独自のものにおいても、技術的に実現可能ならば用いることができる。
【００６１】
ここで本発明は、複数の有利な例示の実施形態に基づき、添付図面を参照して、より詳細に説明されることとなる。
【図面の簡単な説明】
【００６２】
【図１】本発明による磁石組立体の第１の例示的な実施形態を示す斜視図。
【図２】本発明による磁石組立体の第２の例示的な実施形態を示す斜視図。
【図３】本発明による磁石組立体の第３の例示的な実施形態を示す斜視図。
【図４】図１から図４の本発明による磁石組立体のスリーブを単体の部品として示す斜視図。
【図５】図３の本発明による磁石組立体の磁気要素を単体の部品として下方から斜めに示す第１の斜視図。
【図６】図３および図５の本発明による磁石組立体の磁気要素を上方から斜めに示す第２の斜視図。
【発明を実施するための形態】
【００６３】
図１は、金属スリーブ１１と、磁性粒子の充填されたプラスチックで構成される磁気要素１２とを有した、本発明による磁石組立体１０の第１の例示的な実施形態を示している。そのスリーブ１１は、回転軸線Ａ周りに回転可能なステアリングシャフト（図示せず）の第１部分上に磁石組立体を固定するためのブッシュ形状の留め付け部分１１Ａと、当該スリーブ１１を磁気要素１２に留め付けるための、同様にブッシュ形状の連結部分１１Ｂとを有している。スリーブ１１は、段付き形状にされ、連結部分１１Ｂの部位では留め付け部分１１Ａの部位よりも大きい直径を有している。連結部分１１Ｂの方が外径が大きくなっていることで、ステアリングシャフト上へのスリーブ１１の留め付け中に生じる可能性のある影響（特に、歪みなど）を簡単なやり方で、少なくとも大幅に（特に、かなりしっかりと）磁気要素１２から切り離すことが可能となる。
【００６４】
本発明による磁石組立体１０の磁気要素１２は、同様にブッシュないしスリーブ形状の設計である磁気的に有効な磁性部分１２Ａを有している。磁気要素１２はスリーブ１１に対して、第１に一体結合式に、即ち連結部分１１Ｂないしは有効磁性部分１２Ａの部位での接着結合によって連結され、それに加えて更に（安全のため）特に半径方向、軸線方向Ａ１，Ａ２、および円周方向Ｕ１，Ｕ２において形状結合式に連結される。これは、たとえ接着連結が弱まってしまったとしても、構成要素１１，１２同士の互いに対する確実な位置決めを保証し続けることができるようにするためであり、これは特に、確実な、従って使用可能なセンサー信号のための前提条件である。
【００６５】
磁気要素１２とスリーブ１１との間の（ステアリングシャフト（図示せず）の回転軸線Ａに対する）半径方向の形状結合式連結は、ここでは連結部分１１Ｂの部位におけるスリーブ１１の周囲外側への磁気要素１２の同心状の配置によって作り出される。
【００６６】
磁気要素１２とスリーブ１１との間の軸線方向の形状結合式連結は、第１軸線方向Ａ１においては、回転軸線Ａに垂直な半径方向平面内で半径方向に外側へ広がる止めフランジ１１Ｃによって達成される。止めフランジ１１Ｃ上には磁気要素１２が自らの第１端側Ｓ１で軸線方向に載っており、止めフランジ１１Ｃが、磁気要素１２をスリーブ１１に対する第１軸線方向Ａ１の変位に抗してその位置に固定する。
【００６７】
反対の第２軸線方向Ａ２への磁気要素１２の固定は、スリーブ１１と一体的に形成された掛け留め手段１１Ｄによって行われる。その掛け留め手段１１Ｄは、実質的に軸線方向Ａ１，Ａ２へ伸びると共に半径方向の外側へも伸びて自由端部を有した掛け留めアーム１１Ｄの形態をしている。その掛け留めアーム１１Ｄは、対応して設計されたＵ字形の凹部１２Ｂ内に係合する。その凹部１２Ｂは、止めフランジ１１Ｃから遠ざかる方を向いて磁気要素１２内へと引き込まれた間隙１２Ｂを有している。また掛け留めアーム１１Ｄは、その自由端部の端の側で、磁気要素１２の第２端側Ｓ２の部位にて、第１内面Ｉ１上に載っている。その第１内面Ｉ１は、軸線方向Ａ１，Ａ２に対して垂直に広がっており、凹部１２Ｂの底面に相当するものである。かくして掛け留めアーム１１Ｄは、第２軸線方向Ａ２への軸線方向変位を妨げるのである。それは結果として磁気要素が、軸線方向Ａ１およびＡ２の両方に固定されることで、軸線方向で完全に固定されるようなものである。
【００６８】
円周方向Ｕ１，Ｕ２、特に第１円周方向Ｕ１および反対の第２円周方向Ｕ２の固定は、同様に、間隙１２Ｂの形態の凹部１２Ｂ内に係合する掛け留めアーム１１Ｄによって行われる。この場合、Ｕ字形の間隙１２Ｂの第２内面Ｉ２は第１円周方向Ｕ１に有効な止め面を形成し、第３内面Ｉ３は第２円周方向Ｕ２に有効な止め面を形成する。
【００６９】
磁気要素１２の第２端側Ｓ２の部位において第２軸線方向Ａ２と両円周方向Ｕ１，Ｕ２との双方で作用する、組み合わされた形状結合式の連結によって、磁気要素１２とスリーブ１１との間の接着連結の固定を、バックアップとして、簡単な方法で製造できる止めフランジ１１Ｃとの共同による、特に簡単かつコンパクトなやり方で達成することができる。当該固定はまた、組み込むのが特に容易である。
【００７０】
図１を参照すればすぐ分かるように、この例示的な実施形態において、磁気要素１２は合計４つの対応する凹部１２Bを有しているが、磁気要素１２とスリーブ１１との間の第２端側Ｓ２の部位には単一の形状結合式連結しか形成されていない。これには、この場合に必要な連結の安全確保が、単一の形状結合式連結ですでに達成可能であるという背景がある。かくして、その他の形状結合式連結は省略することができるのである。特に、どの場合にも、スリーブに１つのタブを導入する、即ち１つの掛け留めアーム１１Ｄを形成する必要しかないのである。
【００７１】
残り３つの未使用の凹部１２Ｂを省略することもできるかもしれない。しかし、掛け留め手段１１Ｄと各凹部１２Ｂとのそれぞれの形状結合式連結を作り出すためのより多く選べる選択肢を利用することができ、従って磁気要素１２とスリーブ１１とのより迅速な位置決めを達成できることから、取付けを簡素化できるであろう。
【００７２】
とはいえ、それに代えて、第２端側の部位に、上述の形状結合式連結を２つ以上、好適には２つ、３つ、ないしは４つ以上、特に６つまで設けることができる。こうした複数の形状結合式連結の場合には、それらの形状結合式連結が円周方向Ｕ１，Ｕ２で均等に分散配置されることが好ましい。
【００７３】
説明した本発明による磁石組立体１０を製造するためには、スリーブ１１と磁気要素１２とを、最初にそれぞれ別々に製造してから、次に一緒に接合して磁石組立体１０を形成する。
【００７４】
Ｕ字形の凹部１２Ｂは、ここでは第２端側Ｓ１から軸線方向に磁気要素１２内へと引き込まれて、特に磁気要素１２が製造される際に既に成型されており、この場合、第２端側Ｓ２の端面と面一になる所で終わっている。当該端面は、円周方向Ｕ１，Ｕ２で凹部１２Ｂと隣接し合っているのである。
【００７５】
掛け留めアーム１１Ｄは、スリーブから部分的に打ち抜いて交互に２回折り曲げることによって形成されている。その場合、掛け留めアーム１１Ｄは、半径方向にわずかに可撓性である（二重矢印および２つの表示位置によって示す）。従って、磁石組立体１０の組立ての目的で磁気要素１２をスリーブ上へとスライドさせるために、或いは第２端側Ｓ２の部位での形状結合式連結を解除するために、掛け留めアーム１１Ｄを半径方向で内側へ押すことができる。また、磁気要素１２を固定する目的で、掛け留めアーム１１Ｄを、凹部１２Ｂ内にしっかりと係合させるため、特に凹部１２Ｂ内へ掛かり留まるようにするために、半径方向で外側へ押すことができる。
【００７６】
磁石組立体１０を組み立てるために磁気要素１２は、図１を参照すると、その第１端側Ｓ１が止めフランジ１１Ｃと接触するまで、スリーブ１１上へと上方からスライドさせられる。それは、スリーブ１１と磁気要素１２との間の接着連結を作り出すために、磁気要素１２と、連結部分１１Ｂの部位におけるスリーブ１１との間に前もって接着剤が塗布されている状態で行われる。磁気要素１２が止めフランジ１１Ｃ上に載っているとき、掛け留めアーム１１Ｄは、凹部１２Ｂ内へ入り込むことができ、特に凹部１２Ｂ内に引っ掛けられる、即ち掛け留められることができる。
【００７７】
必要ならば、特に掛け留め手段１１Ｄがスプリングバックするのを防ぐために、少なくとも１つの掛け留めラグ、掛け留め縁部、または掛け留め突起を、凹部１２Ｂ内、特に１つないし複数の内面Ｉ１，Ｉ２，および／またはＩ３に付加的に設けることもできる。そして掛け留め手段１１Ｄは、特に自らの自由端部にて、その裏側で係合して、改善された形状結合式連結をもたらすことが、即ち掛け留め式の連結を作り出すことができる。
【００７８】
図２は、本発明による磁石組立体１０’の第２の例示的な実施形態を斜視図で示している。当該磁石組立体１０’は、前述した磁石組立体１０とは凹部１２Ｂ’の構成においてのみ異なっており、第２端側Ｓ２から軸線方向に磁気要素１２’内へと引き込まれたＵ字形の間隙１２Ｂに代えて、２つの突起１６−１および１６−２を有している。それらの突起１６−１および１６−２は、軸線方向Ａ２に止めフランジ１１Ｃから遠ざかって伸びると共に、半径方向外側へ、また円周方向へ伸びている。それらの突起１６−１および１６−２は、凹部１２Ｂ’の第１内面を形成する端面部分と共に、掛け留め手段１１Ｄの係合する凹部１２Ｂ’を画定している。ここでは、第１円周方向Ｕ１の止め面として機能する第２内面Ｉ２が突起１６−１によって形成され、第２円周方向Ｕ２の止め面として機能する第３内面Ｉ３が第２の突起１６−２によって形成されている。
【００７９】
図３は、本発明による磁石組立体１０”の第３の例示的な実施形態を斜視図で示している。当該磁石組立体１０”は、とりわけ凹部１２Ｂ”の構成において前述の磁石組立体１０および１０’と異なっており、第２端側Ｓ２から軸線方向に磁気要素１２’内へと引き込まれたＵ字形の間隙１２Ｂと、２つの突起１６−１’および１６−２’とを有している。それらの突起１６−１’および１６−２’は、軸線方向Ａ２に止めフランジ１１Ｃから遠ざかって伸びると共に、半径方向外側へ、また円周方向へ伸びている。間隙１２Ｂと突起１６−１および１６−２とが一緒になって凹部１２Ｂ”を画定している。
【００８０】
更に、磁気要素１２”はこの場合、その内周面上に複数のリブ１７を有している。それらのリブ１７は、円周方向に分散して互いに間隔を置いて配置されると共に、それぞれ軸線方向に通っている。各リブ１７は、特に軸線方向A１，A２へ磁気要素１２”の全長に亘って伸びている（図５および図６参照）。当該リブ１７を採用することで、スリーブ１１に対する磁気要素１２”の良好な中心合わせや同軸配置を、特に簡単なやり方で達成することができ、かくしてセンサ信号品質にとって実質的に重要なことである磁気要素１２”の精確な位置決めおよび方向合わせを簡単なやり方で達成することができる。
【００８１】
図１から図３に示され、それらの図に基づいて説明される本発明による磁石組立体１０，１０’，および１０”の例示的な実施形態の全ては、止めフランジ１１Ｃから遠ざかる側に面したスリーブ１１の端部の所に位置決めフランジ１３をそれぞれが有している。当該位置決めフランジ１３は、関連したステアリングシャフト（図示せず）上でのスリーブ１１の、即ち磁石組立体１０，１０’，１０”の簡単かつ精確な位置決めのために、半径方向内側へ広がっている。ここで、位置決めフランジ１３は、関連したステアリングシャフトの対応して設計されたシャフト段部または対応して設計されたシャフト部分への接触のために設計されている。本発明による磁石組立体の代替的な構成においては、当該位置決めフランジ１３が省略されてもよい。
【００８２】
本発明による磁石組立体１０，１０’，１０”の簡単かつ精確な方向合わせのために、図１から図３に示され、それらの図に基づいて説明される本発明による磁石組立体１０，１０’，および１０”の例示的な実施形態においては、それぞれスリーブ１１には更に、位置決めフランジ１３の部位に窪み１４が設けられている。当該窪みは特に、シャフトに対するスリーブ１１の、即ち磁石組立体１０，１０’，１０”の円周方向Ｕ１，Ｕ２での簡単な回転および方向合わせのために、工具（例えば、ねじ回しなど）を差し込むことのできる工具係合開口１４として役立つものである。それは、スリーブ１１を、或いは磁気要素１２，１２’，１２”を伴った磁石組立体１０，１０’，１０”を、シャフト上へ円周方向U１，U２に（回転方向で不動に）留め付ける前に向きを合わせるためである。本発明による磁石組立体の代替的な構成においては、当該凹部１４が省略されもよい。
【００８３】
更に、図１から図３に示されて説明される本発明による磁石組立体１０，１０’，および１０”の例示的な実施形態の全ては、それぞれ複数（図示の例示的な各実施形態では正確にはそれぞれ３つ）の横方向スロット１５を有している。それらの横方向スロット１５は、円周方向Ｕ１，Ｕ２に分散して（特に、均等に分散して）並べられ、互いに間隔を置いて配置されている。各横方向スロット１５は、実質的に円周方向Ｕ１，Ｕ２へ伸びている。横方向スロット１５は、ステアリングシャフト上へのスリーブ１１の留め付け中における荷重軽減用スロット１５として役立つ。それは特に、相応のかしめピンまたは圧着ピンの助力によるかしめまたは圧着によってスリーブ１１がシャフト上へ留め付けられるときのことである。本発明による磁石組立体の代替的な構成においては、当該負荷軽減用スロット１５が省略されてもよい。
【００８４】
図１から図３に示され、それらの図に基づいて説明される本発明による磁石組立体１０，１０’，および１０”の例示的な実施形態において、スリーブ１１は、それぞれ段付き形状にされ、留め付け部分１１Ａと連結部分１１Ｂとで異なる直径を有している。この構成も同様に有利な構成である。本発明による磁石組立体のスリーブは、留め付け部分において連結部分と同じ直径（内径および／または外径）を有することもでき、特に、その２つの部分に亘って、また、それらの部分を超えて（特に、その全長に亘って）円筒状とすることができる。
【００８５】
代替的には更に、磁気要素に連結された（或いは、磁気要素と一体的に形成された）掛け留め手段（できれば同様に自由端部のある掛け留めアーム）と、対応した凹部のあるスリーブとを有した磁石組立体が考えられる。
【００８６】
この場合は、掛け留め手段が止めフランジ１１Ｃから略第２軸線方向へ伸びていて、凹部が特に止めフランジ１１Ｃの方向へ開いてることが特に好ましい。その場合、説明した例示的な実施形態とは逆に、掛け留め手段の凹部内への「掛かり留まり」は、「内側へ」掛け留め手段を「押す」ことによってもたらされ、形状結合式連結の解除は、特に「外側へ」掛け留め手段を「押す」ことによってもたらされることが好ましい。
【００８７】
この場合、磁気要素が多成分型の構成要素、特に多成分射出成型によって製造された構成要素であれば（例えば、磁気的に有効な部分に用いられる材料よりも柔軟な材料で掛け留め手段が作られていれば）有利であろう。
【００８８】
図４は、図１から図４までの本発明による磁石組立体のスリーブ１１を個別部品として斜視図で示している。この図では、止めフランジ１１Ｃおよび掛け留めアーム１１Ｄの構成を容易に見ることができる。特に、この図を参照すれば、止めフランジ１１Ｃが全周を取り囲む設計のものである有利性、とりわけ次のような有利な効果を有することを分かることができる。即ち、軸線方向での止めフランジ１１Ｃの剛性への、従ってまた止めフランジ１１Cを介して軸線方向に支えることのできる力への有利な効果である。
【００８９】
図５と図６とは、図３の本発明による磁石組立体１０”の磁気要素１２”を個別部品として、異なる斜視図で示している。この図においては、既に図３との関連でもっと前に述べていたリブ１７であって、磁気要素１２”の内側に配置され、磁気要素１２”の全長に亘って軸線方向Ａ１，Ａ２へ伸びて、スリーブ１１に対する中心合わせを改善するために設けられたリブ１７を容易に見ることができる。
【００９０】
もちろん、説明した例示的な実施形態に対しての多くの構造変更が、特許請求の範囲の内容から逸脱することなく可能である。
【符号の説明】
【００９１】
１０，１０’，１０”  本発明による磁石組立体
１１  スリーブ
１１Ａ  ブッシュ形状の留め付け部分
１１Ｂ  ブッシュ形状の連結部分
１１Ｃ  止めフランジ
１１Ｄ  掛け留め手段
１２，１２’，１２”  磁気要素
１２Ａ  有効磁性部分
１２Ｂ，１２Ｂ’，１２Ｂ”  スリーブへの形状結合式連結用の凹部
１３  位置決めフランジ
１４  工具係合凹部
１５  横方向スロット
１６−１，１６−１’，１６−１”  第１円周方向に作用する止め面を伴った突起
１６−２，１６−２’，１６−２”  第２円周方向に作用する止め面を伴った突起
１７  リブ
Ａ  回転軸線
Ａ１  第１軸線方向
Ａ２  第２軸線方向
Ｉ１  第１内面
Ｉ２  第２内面
Ｉ３  第３内面
Ｓ１  第１端側
Ｓ２  第２端側
Ｕ１  第１円周方向
Ｕ２  第２円周方向
【図１】
2021522516.tif 000003
【図２】
2021522516.tif 000004
【図３】
2021522516.tif 000005
【図４】
2021522516.tif 000006
【図５】
2021522516.tif 000007
【図６】
2021522516.tif 000008
【国際調査報告】
2021522516.tif 000009
2021522516.tif 000010
2021522516.tif 000011
2021522516.tif 000012
2021522516.tif 000013